(57)【要約】【課題】  本発明は、コンテンツ提供方法、コンテンツ提供方法のプログラム、コンテンツ提供方法のプログラムを記録した記録媒体及びコンテンツ提供装置に関し、例えばテレビジョン放送の番組を視聴するテレビジョン受像機に適用して、複数コンテンツの同時視聴において、従来に比して各コンテンツの音声を聞き取り易くすることができるようにする。【解決手段】  本発明は、音声が似通ってなるコンテンツを遠ざけるように複数台のモニタ装置２Ａ〜２Ｃに各コンテンツの割り当てを設定する。【選択図】        図１
2005215226.tif 000002
【特許請求の範囲】
【請求項１】
複数台のモニタ装置を用いて映像及び音声による複数のコンテンツを同時にユーザーに提供するコンテンツ提供方法であって、
前記複数のコンテンツの音声の周波数分布により、音声が似通ってなるコンテンツを遠ざけるように、前記複数台のモニタ装置に前記コンテンツを割り当てるコンテンツ設定のステップと、
前記各コンテンツの音声をほぼ等しい音量により前記ユーザーが視聴することができる標準音量に、前記各モニタ装置の位置に応じて、前記モニタ装置による音声出力の音量を設定する標準音量設定のステップとを有する
ことを特徴とするコンテンツ提供方法。
【請求項２】
前記コンテンツの音声について、うるささを検出するうるささ検出ステップと、
前記うるささ検出ステップによる検出結果に基づいて、前記標準音量設定のステップによる前記モニタ装置の音声出力の音量を変更する音量変更のステップを有する
ことを特徴とする請求項１に記載のコンテンツ提供方法。
【請求項３】
前記ユーザーの指示に応じて、前記標準音量設定のステップによる前記モニタ装置の音声出力の音量を変更する音量変更のステップを有する
ことを特徴とする請求項１に記載のコンテンツ提供方法。
【請求項４】
演算処理手段に所定の処理手順を実行させることにより、複数台のモニタ装置を用いて映像及び音声による複数のコンテンツを同時にユーザーに提供するコンテンツ提供方法のプログラムであって、
前記処理手順が、
前記複数のコンテンツの音声の周波数分布により、音声が似通ってなるコンテンツを遠ざけるように、前記複数台のモニタ装置に前記コンテンツを割り当てるコンテンツ設定のステップと、
前記各コンテンツの音声をほぼ等しい音量により前記ユーザーが視聴することができる標準音量に、前記各モニタ装置の位置に応じて、前記モニタ装置による音声出力の音量を設定する標準音量設定のステップとを有する
ことを特徴とするコンテンツ提供方法のプログラム。
【請求項５】
演算処理手段に所定の処理手順を実行させることにより、複数台のモニタ装置を用いて映像及び音声による複数のコンテンツを同時にユーザーに提供するコンテンツ提供方法のプログラムを記録した記録媒体であって、
前記処理手順が、
前記複数のコンテンツの音声の周波数分布により、音声が似通ってなるコンテンツを遠ざけるように、前記複数台のモニタ装置に前記コンテンツを割り当てるコンテンツ設定のステップと、
前記各コンテンツの音声をほぼ等しい音量により前記ユーザーが視聴することができる標準音量に、前記各モニタ装置の位置に応じて、前記モニタ装置による音声出力の音量を設定する標準音量設定のステップとを有する
ことを特徴とするコンテンツ提供方法のプログラムを記録した記録媒体。
【請求項６】
複数台のモニタ装置を制御して映像及び音声による複数のコンテンツを同時にユーザーに提供するコンテンツ提供装置であって、
前記複数のコンテンツの音声の周波数分布により、音声が似通ってなるコンテンツを遠ざけるように、前記複数台のモニタ装置に前記コンテンツを割り当てるコンテンツ設定手段と、
前記各コンテンツの音声をほぼ等しい音量により前記ユーザーが視聴することができる標準音量に、前記各モニタ装置の位置に応じて、前記モニタ装置による音声出力の音量を設定する標準音量設定手段とを有する
ことを特徴とするコンテンツ提供装置。
【請求項７】
複数台のモニタ装置により映像及び音声による複数のコンテンツを同時にユーザーに提供するコンテンツ提供システムに適用されて、前記モニタ装置にそれぞれ対応して設けられた演算処理手段に所定の処理手順を実行させることにより、担当の前記モニタ装置により前記コンテンツを提供するコンテンツ提供方法のプログラムであって、
前記処理手順が、
前記複数のコンテンツの音声の周波数分布により、音声が似通ってなるコンテンツを遠ざけるように、担当の前記モニタ装置に前記コンテンツを割り当てるコンテンツ設定のステップと、
前記各コンテンツの音声をほぼ等しい音量により前記ユーザーが視聴することができる標準音量に、前記各モニタ装置の位置に応じて、前記担当のモニタ装置による音声出力の音量を設定する標準音量設定のステップとを有する
ことを特徴とするコンテンツ提供方法のプログラム。
【請求項８】
複数台のモニタ装置により映像及び音声による複数のコンテンツを同時にユーザーに提供するコンテンツ提供システムに適用されて、前記モニタ装置にそれぞれ対応して設けられた演算処理手段に所定の処理手順を実行させることにより、担当の前記モニタ装置により前記コンテンツを提供するコンテンツ提供方法のプログラムを記録した記録媒体であって、
前記処理手順が、
前記複数のコンテンツの音声の周波数分布により、音声が似通ってなるコンテンツを遠ざけるように、担当の前記モニタ装置に前記コンテンツを割り当てるコンテンツ設定のステップと、
前記各コンテンツの音声をほぼ等しい音量により前記ユーザーが視聴することができる標準音量に、前記各モニタ装置の位置に応じて、前記担当のモニタ装置による音声出力の音量を設定する標準音量設定のステップとを有する
ことを特徴とするコンテンツ提供方法のプログラムを記録した記録媒体。
【請求項９】
複数台のモニタ装置により映像及び音声による複数のコンテンツを同時にユーザーに提供するコンテンツ提供システムに適用されて、前記モニタ装置にそれぞれ対応して設けられるコンテンツ提供装置であって、
前記複数のコンテンツの音声の周波数分布により、音声が似通ってなるコンテンツを遠ざけるように、担当の前記モニタ装置に前記コンテンツを割り当てるコンテンツ設定手段と、
前記各コンテンツの音声をほぼ等しい音量により前記ユーザーが視聴することができる標準音量に、前記各モニタ装置の位置に応じて、前記担当のモニタ装置による音声出力の音量を設定する標準音量設定手段と有する
ことを特徴とするコンテンツ提供装置。
【発明の詳細な説明】
【技術分野】
【０００１】
本発明は、コンテンツ提供方法、コンテンツ提供方法のプログラム、コンテンツ提供方法のプログラムを記録した記録媒体及びコンテンツ提供装置に関し、例えばテレビジョン放送の番組を視聴するテレビジョン受像機に適用することができる。本発明は、音声が似通ってなるコンテンツを遠ざけるように複数台のモニタ装置に各コンテンツを割り当てることにより、複数コンテンツの同時視聴において、従来に比して各コンテンツの音声を聞き取り易くすることができるようにする。
【背景技術】
【０００２】
従来、テレビジョン放送においては、視聴を希望する番組の放送時間が重複する場合もあり、このような場合には、一方の番組をビデオテープレコーダ等に記録した後、他方の番組の終了の後に、この記録した番組を視聴できるようになされている。
【０００３】
これに対してこのような時間的な余裕の無い場合も考えられ、これにより複数の番組を同時に視聴する方法が種々に提案されるようになされている。
【０００４】
すなわち例えば特開平６−３３４５４５号公報にあっては、一方の番組による音声出力を打ち消すように、逆相の音声信号を他方の番組を提供するモニタ装置から出力することにより、聞き苦しさを防止する方法が提案されるようになされている。
【０００５】
また特開平７−２９８１６２号公報、特開平９−３２２０９４号公報においては、各番組のステレオによる音声信号をモノラルの音声信号に変換して各スピーカより出力することにより、これら複数の番組の音声を聞き分け易くする方法が提案されるようになされている。
【０００６】
しかしながらこれらの方法による複数番組の同時視聴においては、特定のコンテンツに関しては音声を聞き分け易くすることができるものの、コンテンツが異なると各番組の音声が聞き取り難くなる。これにより従来の複数番組の同時視聴にあっては、音声の提供に関して、実用上、未だ不十分な問題があった。
【特許文献１】特開平６−３３４５４５号公報
【特許文献２】特開平７−２９８１６２号公報
【特許文献３】特開平９−３２２０９４号公報
【発明の開示】
【発明が解決しようとする課題】
【０００７】
本発明は以上の点を考慮してなされたもので、複数コンテンツの同時視聴において、従来に比して各コンテンツの音声を聞き取り易くすることができるコンテンツ提供方法、コンテンツ提供方法のプログラム、コンテンツ提供方法のプログラムを記録した記録媒体及びコンテンツ提供装置を提案しようとするものである。
【課題を解決するための手段】
【０００８】
かかる課題を解決するため請求項１の発明においては、複数台のモニタ装置を用いて映像及び音声による複数のコンテンツを同時にユーザーに提供するコンテンツ提供方法に適用して、複数のコンテンツの音声の周波数分布により、音声が似通ってなるコンテンツを遠ざけるように、複数台のモニタ装置にコンテンツを割り当てるコンテンツ設定のステップと、各コンテンツの音声をほぼ等しい音量によりユーザーが視聴することができる標準音量に、各モニタ装置の位置に応じて、モニタ装置による音声出力の音量を設定する標準音量設定のステップとを有するようにする。
【０００９】
また請求項４の発明においては、演算処理手段に所定の処理手順を実行させることにより、複数台のモニタ装置を用いて映像及び音声による複数のコンテンツを同時にユーザーに提供するコンテンツ提供方法のプログラムであって、処理手順が、複数のコンテンツの音声の周波数分布により、音声が似通ってなるコンテンツを遠ざけるように、複数台のモニタ装置にコンテンツを割り当てるコンテンツ設定のステップと、各コンテンツの音声をほぼ等しい音量によりユーザーが視聴することができる標準音量に、各モニタ装置の位置に応じて、モニタ装置による音声出力の音量を設定する標準音量設定のステップとを有するようにする。
【００１０】
また請求項５の発明においては、演算処理手段に所定の処理手順を実行させることにより、複数台のモニタ装置を用いて映像及び音声による複数のコンテンツを同時にユーザーに提供するコンテンツ提供方法のプログラムを記録した記録媒体であって、処理手順が、複数のコンテンツの音声の周波数分布により、音声が似通ってなるコンテンツを遠ざけるように、複数台のモニタ装置にコンテンツを割り当てるコンテンツ設定のステップと、各コンテンツの音声をほぼ等しい音量によりユーザーが視聴することができる標準音量に、各モニタ装置の位置に応じて、モニタ装置による音声出力の音量を設定する標準音量設定のステップとを有するようにする。
【００１１】
また請求項６の発明においては、複数台のモニタ装置を制御して映像及び音声による複数のコンテンツを同時にユーザーに提供するコンテンツ提供装置に適用して、複数のコンテンツの音声の周波数分布により、音声が似通ってなるコンテンツを遠ざけるように、複数台のモニタ装置にコンテンツを割り当てるコンテンツ設定手段と、各コンテンツの音声をほぼ等しい音量によりユーザーが視聴することができる標準音量に、各モニタ装置の位置に応じて、モニタ装置による音声出力の音量を設定する標準音量設定手段とを有するようにする。
【００１２】
また請求項７の発明においては、複数台のモニタ装置により映像及び音声による複数のコンテンツを同時にユーザーに提供するコンテンツ提供システムに適用されて、モニタ装置にそれぞれ対応して設けられた演算処理手段に所定の処理手順を実行させることにより、担当のモニタ装置によりコンテンツを提供するコンテンツ提供方法のプログラムに適用して、処理手順が、複数のコンテンツの音声の周波数分布により、音声が似通ってなるコンテンツを遠ざけるように、担当のモニタ装置にコンテンツを割り当てるコンテンツ設定のステップと、各コンテンツの音声をほぼ等しい音量によりユーザーが視聴することができる標準音量に、各モニタ装置の位置に応じて、担当のモニタ装置による音声出力の音量を設定する標準音量設定のステップとを有するようにする。
【００１３】
また請求項８の発明においては、複数台のモニタ装置により映像及び音声による複数のコンテンツを同時にユーザーに提供するコンテンツ提供システムに適用されて、モニタ装置にそれぞれ対応して設けられた演算処理手段に所定の処理手順を実行させることにより、担当のモニタ装置によりコンテンツを提供するコンテンツ提供方法のプログラムを記録した記録媒体に適用して、処理手順が、複数のコンテンツの音声の周波数分布により、音声が似通ってなるコンテンツを遠ざけるように、担当のモニタ装置にコンテンツを割り当てるコンテンツ設定のステップと、各コンテンツの音声をほぼ等しい音量によりユーザーが視聴することができる標準音量に、各モニタ装置の位置に応じて、担当のモニタ装置による音声出力の音量を設定する標準音量設定のステップとを有するようにする。
【００１４】
また請求項９の発明においては、複数台のモニタ装置により映像及び音声による複数のコンテンツを同時にユーザーに提供するコンテンツ提供システムに適用されて、モニタ装置にそれぞれ対応して設けられるコンテンツ提供装置に適用して、複数のコンテンツの音声の周波数分布により、音声が似通ってなるコンテンツを遠ざけるように、担当のモニタ装置にコンテンツを割り当てるコンテンツ設定手段と、各コンテンツの音声をほぼ等しい音量によりユーザーが視聴することができる標準音量に、各モニタ装置の位置に応じて、担当のモニタ装置による音声出力の音量を設定する標準音量設定手段とをするようにする。
【００１５】
請求項１の構成により、複数台のモニタ装置を用いて映像及び音声による複数のコンテンツを同時にユーザーに提供するコンテンツ提供方法に適用して、複数のコンテンツの音声の周波数分布により、音声が似通ってなるコンテンツを遠ざけるように、複数台のモニタ装置にコンテンツを割り当てるコンテンツ設定のステップと、各コンテンツの音声をほぼ等しい音量によりユーザーが視聴することができる標準音量に、各モニタ装置の位置に応じて、モニタ装置による音声出力の音量を設定する標準音量設定のステップとを有するようにすれば、音声が似通った番組等にあっては、音源を遠ざけて配置することができ、これにより複数コンテンツの同時視聴において、従来に比して各コンテンツの音声を聞き取り易くすることができる。
【００１６】
これにより請求項４、請求項５、請求項６の構成によれば、複数コンテンツの同時視聴において、従来に比して各コンテンツの音声を聞き取り易くすることができるコンテンツ提供方法のプログラム、コンテンツ提供方法のプログラムを記録した記録媒体、コンテンツ提供装置を提供することができる。
【００１７】
また請求項７の構成により、複数台のモニタ装置により映像及び音声による複数のコンテンツを同時にユーザーに提供するコンテンツ提供システムに適用されて、モニタ装置にそれぞれ対応して設けられた演算処理手段に所定の処理手順を実行させることにより、担当のモニタ装置によりコンテンツを提供するコンテンツ提供方法のプログラムに適用して、処理手順が、複数のコンテンツの音声の周波数分布により、音声が似通ってなるコンテンツを遠ざけるように、担当のモニタ装置にコンテンツを割り当てるコンテンツ設定のステップと、各コンテンツの音声をほぼ等しい音量によりユーザーが視聴することができる標準音量に、各モニタ装置の位置に応じて、担当のモニタ装置による音声出力の音量を設定する標準音量設定のステップとを有するようにすれば、各モニタ装置側の処理により、音声が似通った番組等にあっては、音源を遠ざけて配置することができ、これにより複数コンテンツの同時視聴において、従来に比して各コンテンツの音声を聞き取り易くすることができる。
【００１８】
これにより請求項８、請求項９の構成によれば、複数コンテンツの同時視聴において、従来に比して各コンテンツの音声を聞き取り易くすることができるコンテンツ提供方法のプログラムを記録した記録媒体、コンテンツ提供装置を提供することができる。
【発明の効果】
【００１９】
本発明によれば、複数コンテンツの同時視聴において、従来に比して各コンテンツの音声を聞き取り易くすることができる。
【発明を実施するための最良の形態】
【００２０】
以下、適宜図面を参照しながら本発明の実施例を詳述する。
【実施例１】
【００２１】
（１）実施例の構成
図１は、本発明の実施例１に係る番組視聴システムを示すブロック図である。この番組視聴システム１は、処理に必要な各種のデータを送受可能に複数台のテレビジョン受像機によるモニタ装置２Ａ、２Ｂ、２Ｃを制御装置３に接続し、制御装置３の制御によりこれらモニタ装置２Ａ、２Ｂ、２Ｃを用いて複数の番組を同時に視聴できるようになされている。なおこの番組視聴システム１において、モニタ装置２Ａ、２Ｂ、２Ｃは、同一に構成されることにより、以下の説明においては、モニタ装置２Ａの構成を詳細に説明し、他のモニタ装置２Ｂ、２Ｃについては、適宜、重複した説明を省略する。
【００２２】
ここでこの番組視聴システム１において、モニタ装置２Ａ、２Ｂ、２Ｃは、それぞれ所定位置に配置して使用できるように形成され、またそれぞれ携帯して所定位置に設置されたスタンドにセットして使用できるように形成され、これにより固定された位置により、又は種々に位置を変更して番組を視聴できるようになされている。
【００２３】
これに対応してスタンドは、図２に示すように、事前に所定箇所に固定されて設置される方式のスタンド４Ａ〜４Ｃと、図１との対比により図３に示すように、制御装置３の制御により、保持したＸ軸モータ６、Ｙ軸モータ７、Ｚ軸モータ８を駆動することにより、移動してＸ方向及びＹ方向に位置を変更すると共に、保持したモニタ装置２Ａ、２Ｂ、２Ｃを上下方向に可動する形式のスタンド５Ａ〜５Ｃとが用意されるようになされている。なおスタンド４Ａ〜４Ｃ、５Ａ〜５Ｃは、モニタ装置２Ａ、２Ｂ、２Ｃのセットを検出して制御装置３に通知し、またこのセットされたモニタ装置２Ａ、２Ｂ、２Ｃに動作用の電源を供給するようになされている。なお事前に所定箇所に固定されて設置される方式のスタンド４Ａ〜４Ｃにおいて、両側のスタンド４Ａ、４Ｃは、中央のスタンド４Ｂに対して特定の位置にしか配置できないようになされ、これにより中央のスタンド４Ｂが配置されると、これら両側のスタンド４Ａ、４Ｃの配置位置も一義的に決定するようになされている。
【００２４】
モニタ装置２Ａ、２Ｂ、２Ｃは、それぞれ制御装置３の制御によりテレビジョン放送を受信できるように構成される。すなわちモニタ装置２Ａにおいて、ソース部１１は、制御装置３の制御によりテレビジョン放送を受信して映像信号ＳＶ、ＳＡを出力し、映像信号処理部１２は、映像信号ＳＶを処理して液晶表示パネル等による表示部１３を駆動する。また音声信号処理部１４は、制御装置３の制御によりソース部１１から出力される音声信号ＳＡによりスピーカ１５を駆動する。なおこのような視聴者への提供に供するコンテンツにあっては、テレビジョン放送によるコンテンツのみならず、ＤＶＤ（Digital Versatile Disk）プレイヤー、ビデオテープレコーダ等により提供される各種コンテンツを広く適用することができる。
【００２５】
制御装置３は、リモートコマンダー（リモコン）２１、２２の操作によりこれらモニタ装置２Ａ〜２Ｃ、移動方式のスタンド５Ａ〜５Ｃの動作を制御する。
【００２６】
ここでリモートコマンダー２１は、移動方式によるスタンド５Ａ〜５Ｃを使用しない場合に、この番組視聴システム１に適用される遠隔制御装置であり、図４に示すように、通常のモニタ装置のリモートコマンダーと同様に、チャンネル選局用の操作子２３、音量の操作子２４、電源の操作子２５等が設けるようになされている。さらにリモートコマンダー２１は、これら通常のモニタ装置のリモートコマンダーに係る操作子に加えて、制御装置３の制御に係るモニタ装置２Ａ、２Ｂ、２Ｃを選択するモニタ装置選択の操作子２６、複数番組の同時視聴を指示する操作子２７、１つの番組のみの視聴を指示する操作子２８、モニタ装置選択の操作子２６と同時の操作により興味を有する番組を優先した複数番組の同時視聴を指示する操作子２９、操作子２７〜２９の設定を解除する解除の操作子３０等が設けられるようになされている。
【００２７】
これに対してリモートコマンダー２２は、移動方式によるスタンド５Ａ〜５Ｃを使用する場合に、この番組視聴システム１に適用される遠隔制御装置であり、図４との対比により図５に示すように、リモートコマンダー２１に設けられた各種の操作子に加えて、スタンド５Ａ〜５Ｃにおける駆動対象のモータを選択する操作子３１、駆動方向を指示する操作子３２が設けられるようになされている。これらによりリモートコマンダー２１、２２は、このような複数番組の同時視聴に係るシステムに適用して、これら複数のモニタ装置２Ａ〜２Ｃを簡易かつ確実に操作できるようになされている。
【００２８】
制御装置３は（図１及び図３）、このリモートコマンダー２１、２２から出力される赤外線による遠隔制御信号を受光する受光部４１と、所定の処理プログラムの実行により、この受光部４１による受光結果に基づいて各モニタ装置２Ａ、２Ｂ、２Ｃの動作を制御する演算処理部４２と、この演算処理部４２の処理に必要な各種の処理プログラム、各種のデータを記録するハードディスク装置、メモリ等による記録装置４３等とにより構成され、リモートコマンダー２１、２２の操作に応動してモニタ装置２Ａ〜２Ｃ、スタンド５Ａ〜５Ｃの動作を制御する。
【００２９】
しかして演算処理部４２は、このようなモニタ装置２Ａ〜２Ｃ、スタンド４Ａ〜４Ｃ等の制御に係る一連の処理手順の実行により、各モニタ装置２Ａ〜２Ｃで受信している音声についてうるささを推定するうるささ推定部４２Ａ、受光部４１による受光結果によりリモートコマンダー２１、２２からのコマンドを解釈するコマンド解釈部４２Ｂ、このコマンド解釈部４２Ｂにおけるコマンドの解釈により各モニタ装置２Ａ〜２Ｃの音量を決定して制御する音量決定部４２Ｃ、Ｘ軸モータ６、Ｙ軸モータ７、Ｚ軸モータ８の駆動量を決定してそれぞれ指示するＸ移動量決定部４２Ｄ、４２Ｅ、４２Ｆ等を構成するようになされ、また記録装置４３により各モニタ装置２Ａ〜２Ｃの音源に係る情報を蓄積する音源データ蓄積部を構成するようになされている。
【００３０】
なおこの一連の処理に係る処理プログラムにおいては、この制御装置４にプリインストールされて提供されるものの、このようなプリインストールによる提供に代えて、インターネット等のネットワークを介したダウンロードにより提供するようにしてもよく、さらには各種の記録媒体を介して提供するようにしてもよい。なおこのような記録媒体としては、例えばＣＤ−ＲＯＭ、ＤＶＤ等の光ディスク、フロッピーディスク等の磁気ディスク、駆動機構と一体構成による着脱可能なハードディスク装置、メモリカード等、種々の記録媒体を広く適用することができる。
【００３１】
図６は、この演算処理部４２の処理手順を示すフローチャートである。演算処理部４２は、電源の立ち上げによりこの処理手順を開始し、ステップＳＰ１からステップＳＰ２に移る。ここで演算処理部４２は、いわゆるラストメモリの手法により直前の電源立ち下げ時の状態によりモニタ装置２Ａ〜２Ｂの動作を立ち上げ、これにより番組視聴を開始する。またリモートコマンダー２１、２２からの遠隔制御信号の受信を待機し、受光部４１より遠隔制御信号の取得が通知されると、続くステップＳＰ３において、この遠隔制御信号のコマンドを解釈する。また続くステップＳＰ４において、この遠隔制御信号によるリモートコマンダー２１、２２からの指示が番組の視聴終了を指示するものか否か判断し、ここで肯定結果が得られると、ステップＳＰ４からステップＳＰ５に移り、電源を立ち上げているモニタ装置２Ａ〜２Ｃに電源の立ち下げを指示した後、ステップＳＰ６に移ってこの処理手順を終了する。
【００３２】
これに対してステップＳＰ４で否定結果が得られると、演算処理部４２は、ステップＳＰ４からステップＳＰ７に移る。ここで演算処理部４２は、リモートコマンダー２１、２２からの遠隔制御信号による指示が複数番組の同時視聴を指示するものか否か判断し、ここで肯定結果が得られると、ステップＳＰ８に移る。またこのステップＳＰ８において、このリモートコマンダー２１、２２の操作が単なる操作子２８のみの操作に係る複数番組の同時視聴を指示するものか否か判断し、ここで肯定結果が得られると、ステップＳＰ９に移り、複数番組同時視聴モードに係る処理手順を実行した後、ステップＳＰ３に戻る。
【００３３】
これに対してステップＳＰ８で否定結果が得られると、ステップＳＰ８からステップＳＰ１０に移り、ここでリモートコマンダー２１、２２からの遠隔制御信号による指示が操作子２９の押圧操作に係る興味を有する番組を優先した複数番組の同時視聴を指示するものか否か判断する。ここで肯定結果が得られると、演算処理部４２は、ステップＳＰ１０からステップＳＰ１１に移り、興味視聴モードに係る処理手順を実行した後、ステップＳＰ３に戻る。これに対してステップＳＰ１０で否定結果が得られると、ステップＳＰ１０から直接ステップＳＰ３に戻る。
【００３４】
これに対してステップＳＰ７で否定結果が得られると、演算処理部４２は、ステップＳＰ７からステップＳＰ１２に移る。ここで演算処理部４２は、リモートコマンダー２１、２２の操作が１つのモニタ装置による番組の視聴を指示したものか否か判断し、ここで肯定結果が得られると、ステップＳＰ１２からステップＳＰ１３に移る。ここで演算処理部４２は、リモートコマンダー２１、２２の操作に応じて、例えば音量等の、指示に係るモニタ装置の動作を切り換えた後、ステップＳＰ３に戻る。
【００３５】
これらによりこの実施例においては、リモートコマンダー２１、２２の操作に応動して１台のモニタ装置のみにより、さらには複数台のモニタ装置２Ａ〜２Ｃにより所望する番組を視聴できるようになされている。
【００３６】
図７及び図８は、この図６のステップＳＰ９に係る複数番組同時視聴モードの処理手順を示すフローチャートである。演算処理部４２は、この処理手順を開始すると、ステップＳＰ２１からステップＳＰ２２に移り、モニタ装置２Ａ〜２Ｃの設置方式を判定する。なおここで演算処理部４２は、スタンド４Ａ〜４Ｃ、５Ａ〜５Ｃの設置時に制御装置３に設定された記録により、設置方式を判定する。
【００３７】
ここで設置方式がスタンド５Ａ〜５Ｃを用いた移動方式による設置の場合、演算処理部４２は、ステップＳＰ２２からステップＳＰ２３に移り、リモートコマンダー２２の指示により、操作子３１、３２（図５）の操作によるモニタ装置２Ａ〜２Ｃの配置の入力を受け、またこの入力に応じた各スタンド５Ａ〜５Ｃの制御により、リモートコマンダー２２による指示に応じてモニタ装置２Ａ〜２Ｃの位置を移動した後、ステップＳＰ２４に移る。これに対して配置方式がスタンド４Ａ〜４Ｃへのセットによる場合、スタンド４Ａ〜４Ｃへのモニタ装置２Ａ〜２Ｃのセットを検出してステップＳＰ２４に移る。これに対してモニタ装置２Ａ〜２Ｃを固定して使用する場合、ステップＳＰ２２からステップＳＰ２３に移り、この場合、リモートコマンダー２２にる入力を受け付けた後、ステップＳＰ２４に移る。
【００３８】
このステップＳＰ２４において、演算処理部４２は、動作モードを複数番組同時視聴モードに設定する。また続くステップＳＰ２６において、ユーザーにより視聴が指示された番組に係るチャンネル番号を各モニタ装置２Ａ〜２Ｃに表示してリモートコマンダー２１、２２による確認の操作を受け付け、これにより同時視聴が指示された番組数を確認する。
【００３９】
また続くステップＳＰ２７で改めてモニタ装置２Ａ〜２Ｃの設置方式を判定する。ここで演算処理部４２は、モニタ装置２Ａ〜２Ｃの設置方式が固定による設置の場合、ステップＳＰ２７からステップＳＰ２８に移り、各モニタ装置２Ａ〜２Ｃからの音声出力の音量を設定するルックアップテーブルを作成した後、ステップＳＰ２９に移る。ここでこのルックアップテーブルは、モニタ装置２Ａ〜２Ｃの設置時に記録装置４３に記録された各モニタ装置２Ａ〜２Ｃの位置により、各モニタ装置２Ａ〜２Ｃからの音声出力に係るディフォルトの音量を決定するテーブルである。またこのディフォルトの音量にあっては、視聴者の視聴位置から各モニタ装置２Ａ〜２Ｃまでの距離に基づいて、各モニタ装置２Ａ〜２Ｃから同一の音声を出力した場合に、この視聴者の視聴位置でこれらモニタ装置２Ａ〜２Ｃからの音声がほぼ同一の音量により視聴される音量に設定される。
【００４０】
具体的に図１１に示すように、例えばモニタ装置２Ａ、２Ｂが横方向に離れて配置されている場合、モニタ装置２Ａ、２Ｂの音声出力に係る音量を等しい音量に設定するのに対し、図１２に示すように、奥行き方法にモニタ装置２Ａ、２Ｂを離して配置する場合、奥に配置した分、奥側のモニタ装置２Ｂの音声出力に係る音量を大きくする。また図１３に示すように、上下方向にモニタ装置２Ａ、２Ｂを離して配置した場合、下側のモニタ装置２Ａからの音声にあっては、床により反射した成分まで視聴者に到達して大きな音量により知覚されることにより、その分、下側のモニタ装置２Ａの音声出力に係る音量を大きく設定する。
【００４１】
これに対してモニタ装置２Ａ〜２Ｃの配置方式が、スタンド４Ａ〜４Ｃによる手動により移動可能な配置の場合、演算処理部４２は、ステップＳＰ２７からステップＳＰ３０に移る。ここで演算処理部４２は、モニタ装置２Ａ〜２Ｃがセットされてなるスタンド４Ａ〜４Ｃを検出することにより、モニタ装置２Ａ〜２Ｃが何れのスタンド４Ａ〜４Ｃにセットされているかを検出する。また続くステップＳＰ３１において、ステップＳＰ２７の検出結果に基づいて、ステップＳＰ２８と同様にして各モニタ装置２Ａ〜２Ｃのディフォルトの音量を決定するルックアップテーブルを読み込んだ後、ステップＳＰ２９に移る。
【００４２】
しかしてこの実施例において、記録装置４３には、各モニタ装置２Ａ〜２Ｃの位置関係と、視聴者がほぼ同一音量により視聴可能な各モニタ装置２Ａ〜２Ｃの音声出力に係る音量との関係を示す複数のルックアップテーブルが事前に登録され、演算処理部４２は、この複数のルックアップテーブルより対応するルックアップテーブルをロードすることによりこのステップＳＰ３１の処理手順を実行する。
【００４３】
続くステップＳＰ２９において、演算処理部４２は、ユーザーによるリモートコマンダー２１、２２の指示により、同時に視聴する番組数の入力を受け付け、この番組数により番組の提供に供するモニタ装置２Ａ〜２Ｃを仮決定する。またこの仮決定により続くステップＳＰ３２で、それぞれステップＳＰ２８、ステップＳＰ３１でロードしたルックアップテーブルにより各モニタ装置２Ａ〜２Ｃの音量を設定した後、ステップＳＰ３３に移る。
【００４４】
これに対してモニタ装置２Ａ〜２Ｃの設置方式が、移動方式によるスタンド５Ａ〜５Ｃを用いた配置の場合、演算処理部４２は、ステップＳＰ２７からステップＳＰ３４に移る。ここで演算処理部４２は、ステップＳＰ２３におけるスタンド５Ａ〜５Ｃの駆動結果により、各モニタ装置２Ａ〜２Ｃの現在位置を検出する。また続くステップＳＰ３５において、ユーザーによるリモートコマンダー２１、２２の指示により、同時に視聴する番組数の入力を受け付け、この番組数により番組の提供に供するモニタ装置２Ａ〜２Ｃを仮決定する。また続くステップＳＰ３６において、ステップＳＰ３１と同様にして、これらモニタ装置２Ａ〜２Ｃの現在位置により、各モニタ装置２Ａ〜２Ｃのディフルトの音量に係るルックアップテーブルをロードする。またこのルックアップテーブルにより各モニタ装置２Ａ〜２Ｃの音量を仮決定し、ステップＳＰ３３に移る。
【００４５】
これらの処理により演算処理部４２は、同時視聴に係る各番組のモニタ装置２Ａ〜２Ｃへの割り当てを仮決定し、またこれらモニタ装置２Ａ〜２Ｃからの音声をほぼ同一の音量により視聴できるように、各モニタ装置２Ａ〜２Ｃの音量を仮設定するようになされている。
【００４６】
このようにして仮設定すると、演算処理部４２は、ステップＳＰ３２において、各モニタ装置２Ａ〜２Ｃに仮決定による番組の受信開始を指示し、その結果得られる音声信号ＳＡを各モニタ装置２Ａ〜２Ｃから取得して記録装置４３に一時格納する。またこの音声信号ＳＡをそれぞれ周波数解析して各音声信号ＳＡにおける周波数の分布を検出し、この周波数の分布により各番組を分類する。
【００４７】
また続くステップＳＰ３７において、この分類結果より、周波数の分布が似通ってなる番組を隣り合ったモニタ装置２Ａ、２Ｂ又は２Ｂ、２Ｃに割り当てないように、仮設定に係る番組の各モニタ装置２Ａ〜２Ｃへの割り当てを変更し、この変更によりモニタ装置２Ａ〜２Ｃに番組の受信を指示する。これによりこの番組視聴システム１では、音声が似通っている番組については、これらの番組のモニタ装置を遠ざけるように設定し、音源の位置を空間方向に広げて互いの音声のマスキング効果を抑制するようになされ、これにより複数の音声を容易に聞き分けることができるようにする。
【００４８】
すなわち図９に示すように、２台のモニタ装置２Ａ、２Ｂを隣り合わせて接近させて配置した場合と、図１０に示すように、これら２台のモニタ装置２Ａ、２Ｂをある程度離して配置した場合とでは、離して配置した場合の方が、双方のモニタ装置２Ａ、２Ｂによる音声を十分に聞き分けることができる。またこのようなモニタ装置２Ａ、２Ｂを離して配置する場合にあっては、図１１に示すように、横方向に離して配置する場合、図１２に示すように奥行き方向に離して配置する場合、図１３に示すように上下方向に離して配置する場合の何れの配置方法を適用しても、音声を十分に聞き分けることができる。
【００４９】
これらにより図１４に示すように、この実施例のように３台のモニタ装置２Ａ〜２Ｃにより番組を視聴する場合にあって、ユーザーが視聴を指示した番組に音声が似通ってなる２つの番組が存在する場合、最も遠く離して配置されてなるモニタ装置２Ａ、２Ｃにこれら２つの番組を振り分けるようになされている。またこのように番組を振り分けて、ステップＳＰ３２、ステップＳＰ３６の処理により、これらの番組を視聴者の視聴位置で等しい音量により提供するようになされている。
【００５０】
このようにして番組を決定すると、演算処理部４２は、ステップＳＰ３７からステップＳＰ３８に移り、ここでうるささ判定処理を実行し、各番組のうるささを検出する。またこのようにして検出したうるささの検出結果により、続くステップＳＰ３９において、ステップＳＰ３２、ステップＳＰ３６で仮設定した音量を補正した後、ステップＳＰ４０に移って元の処理手順に戻る。
【００５１】
すなわち例えばバラエティー番組等の番組にあっては、大きな音声により放送されるのに対し、例えばシリアスなドラマ番組にあっては、静音部が比較的長く、これにより視聴者にとっては音量の小さな静かな番組として認識される。しかしてこれらの番組を視聴者に対して同一の音量により提供したのでは、バラエティー番組の音声によりドラマ番組の音声を聞き取り難くなる。
【００５２】
これによりこの番組視聴システム１では、音声信号のうるささを判定し、この判定結果により静かと判断される番組については、その分、うるさいと判断される番組に比して、相対的に音量を増大させ、これにより静かな番組に係る音声についても、十分に視聴することができるようにする。
【００５３】
図１５は、このうるささ判定処理における演算処理部４２の処理手順を示すフローチャートである。演算処理部４２は、この処理手順を開始すると、ステップＳＰ５１からステップＳＰ５２に移り、うるささの判定基準であるサンプル数のカウント値を値０にリセットする。続いて演算処理部４２は、ステップＳＰ５３に移り、ここで記録装置４３から１つのモニタ装置２Ａ、２Ｂ、２Ｃからの音声信号ＳＡを所定時間分ロードし、続くステップＳＰ５４において、この音声信号ＳＡのサンプルについて、所定のしきい値により振幅が大きいか否か判定する。ここで肯定結果が得られると、演算処理部４２は、ステップＳＰ５５に移り、カウント値をアップカウントした後、ステップＳＰ５６に移る。これに対してステップＳＰ５４で否定結果が得られると、直接ステップＳＰ５６に移る。
【００５４】
このステップＳＰ５６において、演算処理部４２は、ステップＳＰ５３でロードした全ての音声信号ＳＡのサンプルについて、処理を完了したか否か判断し、ここで否定結果が得られると、ステップＳＰ５４に移り、続くサンプルについて、振幅を判定する。これにより演算処理部４２は、順次ステップＳＰ５４−ＳＰ５５−ＳＰ５６−ＳＰ５４又はステップＳＰ５４−ＳＰ５６−ＳＰ５４の処理手順を繰り返し、ステップＳＰ５３でロードした所定時間分の音声信号ＳＡの全サンプルについて、振幅が所定値以上のサンプル数を検出する。またこのようにしてサンプル数を検出すると、ステップＳＰ５６からステップＳＰ５７に移り、ここでこのサンプル数の逆数を計算することにより、うるささの指標を検出する。
【００５５】
また続くステップＳＰ５８において、同時視聴に係る全ての番組について、処理を完了したか否か判断し、ここで否定結果が得られると、ステップＳＰ５８からステップＳＰ５２に戻り、次の番組に係る音声信号に処理を切り換える。これに対してこのようにして全ての番組の音声信号について、うるささの指標を計算すると、演算処理部４２は、ステップＳＰ５８からステップＳＰ５９に移り、元の処理手順に戻る。これにより演算処理部４２は、振幅が大きく立ち上がっている期間の長さにより、うるささを判定するようになされている。
【００５６】
図１６及び図１７は、興味視聴モードにおける演算処理部４２の処理手順を示すフローチャートである。演算処理部４２は、この処理手順を開始すると、図７及び図８に示す処理手順と同様の処理手順（ステップＳＰ６１〜ステップＳＰ７９）により、音声が似通ってなる番組を離れて配置されたモニタ装置に割り当て、また各モニタ装置２Ａ〜２Ｃからの音声信号がほぼ等しい音量により聞こえるように、各モニタ装置２Ａ〜２Ｃの音量を設定する。
【００５７】
またこのようにして番組、音量を設定すると、ステップＳＰ８０（図１７）において、リモートコマンダー２１、２２の操作によりユーザーが最も興味を示す番組の指定を受け付け、続くステップＳＰ８１において、この番組の音量を増大させるように、対応するモニタ装置の音量を増大させた後、ステップＳＰ８２に移って元の処理手順に戻る。
【００５８】
またこのようにして興味視聴モードに動作モードを設定してなる場合にあって、解除の操作子３０等が操作されると、図１８に示す処理手順を開始し、ステップＳＰ９１からステップＳＰ９２に移る。ここで演算処理部４２は、視聴者によるリモートコマンダー２１、２２の操作が興味視聴モードの解除を指示する操作か否か判断し、ここで肯定結果が得られると、ステップＳＰ９３に移り、図１７のステップＳＰ７９に係る音量に各モニタ装置２Ａ〜２Ｃの音量を戻した後、ステップＳＰ９４に移ってこの処理手順を終了する。
【００５９】
これに対してステップＳＰ９２で否定結果が得られると、演算処理部４２は、ステップＳＰ９４からステップＳＰ９５に移り、ここで視聴者によるリモートコマンダー２１、２２の操作が興味のある番組の切り換えを指示するものか否か判断し、ここで肯定結果が得られると、ステップＳＰ９５からステップＳＰ９６に移り、音量を立ち上げてなるモニタ装置を切り換えた後、ステップＳＰ９４に移ってこの処理手順を終了する。これに対してステップＳＰ９５で否定結果が得られると、ステップＳＰ９５からステップＳＰ９４に移ってこの処理手順を終了する。
【００６０】
これらによりこの番組視聴システム１においては、複数の番組を同時に視聴する場合にあって、ユーザーが興味を示す番組については、他の番組に比して大きな音量により視聴できるようになされている。
【００６１】
（２）実施例の動作
以上の構成において、この番組視聴システム１では（図１及び図３）、リモートコマンダー２１、２２の操作が制御装置３の演算処理部４２により検出され、この演算処理部４２によるモニタ装置２Ａ〜２Ｃの動作が制御され、これによりこれらモニタ装置２Ａ〜２Ｃにより所望する番組を楽しむことができる。
【００６２】
この制御装置３による制御において、リモートコマンダー２１、２２の操作により、視聴者が１台のモニタ装置による番組の視聴を指示した場合（図６）、この番組視聴システム１では、ユーザーの指示したモニタ装置に対する制御装置３の制御により、ユーザーの所望する番組がモニタ装置により提供され、これにより通常の番組視聴の場合と同様に、所望する番組を視聴することができる。
【００６３】
これに対して視聴者が複数の番組の同時視聴を指示した場合、この番組視聴システム１では、この複数の番組について、音声信号ＳＡの周波数解析により、周波数分布が似通ってなる音声の似通った番組が検出され（図７及び図８）、この番組の音源を遠ざけるように、各モニタ装置２Ａ〜２Ｃに番組が割り当てられる。またこのようにして番組を割り当てて、視聴者がほぼ等しい音量によりこれらの番組の音声を視聴できるように、各モニタ装置２Ａ〜２Ｃの位置に応じて、各モニタ装置２Ａ〜２Ｃの音量が標準音量であるディフォルトの音量に設定される。
【００６４】
これによりこの番組視聴システム１では、音声が似通っている番組については、音源の位置を空間方向に広げて互いの音声のマスキング効果を抑制し、これにより複数の音声を容易に聞き分けることができる。またこのようにして音源の位置を空間方向に広げて、視聴者がほぼ等しい音量によりこれらの番組の音声を視聴できるように各モニタ装置２Ａ〜２Ｃの音量を設定することにより、種々にモニタ装置２Ａ〜２Ｃを配置した場合にあっても、これら複数番組の音声を容易に聞き分けることができる。
【００６５】
このようにして音量を設定して、さらにこの番組視聴システム１では、音声信号における振幅の判定により、各音声のうるささが検出される。またこの検出結果により、静かな番組について、標準音量から音量が立ち上げられる。これによりこの番組視聴システム１では、うるさい番組と静かな番組とを同時に視聴する場合にあっても、うるさい番組により静かな番組の音声が聞き取れないような状況を有効に回避することができ、これらにより種々の番組視聴に適用して、複数番組の音声を容易に聞き分けることができる。
【００６６】
これに対して視聴者が興味を示す番組を優先させた複数番組の同時視聴を指示すると、同様にして各モニタ装置２Ａ〜２Ｃの音量が設定された後、ユーザーの指示に係る番組について、音量が増大される。これによりこの実施例では、複数番組の音声を容易に聞き分けることができるように設定して、さらに興味を有する番組については、一段と容易に音声を聞き分けることができるように設定され、一段と視聴者の使い勝手が向上される。
【００６７】
これらによりこの実施例においては、視聴を希望する番組が複数、同時間帯に放送される場合であっても、リアルタイムにこれら複数の番組を視聴して、これら複数の番組を楽しむことができる。またこのように同時に複数の番組を視聴して、イベント等の音声による案内を聞き逃さないようにすることができる。
【００６８】
（３）実施例の効果
以上の構成によれば、音声が似通ってなるコンテンツを遠ざけるように複数台のモニタ装置に各コンテンツの割り当てを設定することにより、複数コンテンツの同時視聴において、従来に比して各コンテンツの音声を聞き取り易くすることができるようにする。
【００６９】
またこのとき各コンテンツをほぼ同じ音量により視聴できるようにして、この音量からうるささに応じて音量を変更することにより、うるさい番組により静かな番組の音声が聞き取れないような状況を有効に回避することができ、これらにより種々の番組視聴に適用して、複数番組の音声を容易に聞き分けることができる。
【００７０】
またユーザーの指示に係る番組について、音量を増大することにより、複数番組の音声を容易に聞き分けることができるように設定して、さらに興味を有する番組については、一段と容易に音声を聞き分けることができ、一段と視聴者の使い勝手を向上することができる。
【実施例２】
【００７１】
図１９及び図２０は、それぞれ図１及び図３に対応する本発明の実施例２に係る番組視聴システムを示すブロック図である。この番組視聴システム５１では、各モニタ装置５２Ａ、５２Ｂ、５２Ｃにそれぞれ演算処理部５３を有してなる制御部５４が設けられ、この各モニタ装置５２Ａ、５２Ｂ、５２Ｃに設けられた制御部５４における処理により、実施例１について上述した番組視聴システム１と同様に、１つの番組、さらには複数番組を視聴者に提供する。なおこの図１９及び図２０の構成において、実施例１に係る番組視聴システム１と同一の構成は、対応する符号を付して示し、重複した説明は省略する。
【００７２】
このためモニタ装置５２Ａ、５２Ｂ、５２Ｃは、相互に音声信号ＳＡを送受できるように構成され、これにより各番組の音声における周波数分布を検出して担当の番組を選択的に受信できるようになされ、またうるささを判定して音量を変更できるようになされている。
【００７３】
この実施例の構成によれば、各モニタ装置に設けた演算処理手段により処理を分担して、音声が似通ってなるコンテンツを遠ざけるように複数台のモニタ装置に各コンテンツの割り当てを設定するようにしても、実施例１と同様の効果を得ることができる。
【実施例３】
【００７４】
なお上述の実施例においては、リモートコマンダーの操作により複数番組の同時視聴を開始する場合について述べたが、本発明はこれに限らず、例えばスタンドへのモニタ装置のセットをトリガにして、複数台のモニタ装置が各スタンドにセットされている場合に、複数番組の同時視聴を開始する場合等、番組視聴開始のトリガにあっては、種々に設定することができる。
【００７５】
また上述の実施例においては、３台のモニタ装置により映像及び音声によるコンテンツを視聴する場合について述べたが、本発明はこれに限らず、複数台によるモニタ装置によりコンテンツを視聴する場合に広く適用することができる。
【産業上の利用可能性】
【００７６】
本発明は、例えばテレビジョン放送の番組を視聴するテレビジョン受像機に適用することができる。
【図面の簡単な説明】
【００７７】
【図１】本発明の実施例１に係る番組視聴システムを示すブロック図である。
【図２】図１の番組視聴システムにおけるモニタ装置の配置の説明に供する略線図である。
【図３】図１の番組視聴システムにおいて、モニタ装置を可動式のスタンドに設置した場合の構成を示すブロック図である。
【図４】図１の番組視聴システムに係るリモートコマンダーを示す平面図である。
【図５】図３の番組視聴システムに係るリモートコマンダーを示す平面図である。
【図６】図１の番組視聴システムの制御装置における演算処理部の処理手順を示すフローチャートである。
【図７】図６の処理手順における複数番組同時視聴モードの処理における処理手順を示すフローチャートである。
【図８】図７の続きのフローチャートである。
【図９】複数番組の同時視聴に係る説明に供する略線図である。
【図１０】モニタ装置を離して配置した場合の説明に供する略線図である。
【図１１】モニタ装置を横方向に離して配置した場合の説明に供する略線図である。
【図１２】モニタ装置を奥行き方向に離して配置した場合の説明に供する略線図である。
【図１３】モニタ装置を上下方向に離して配置した場合の説明に供する略線図である。
【図１４】３台のモニタ装置への番組の振り分けの説明に供する略線図である。
【図１５】図８の処理手順におけるうるささ判定処理手順を示すフローチャートである。
【図１６】図６の処理手順における興味視聴モードの処理における処理手順を示すフローチャートである。
【図１７】図１６の続きのフローチャートである。
【図１８】興味視聴モードにおけるリモートコマンダーの操作による処理手順を示すフローチャートである。
【図１９】本発明の実施例２に係る番組視聴システムを示すブロック図である。
【図２０】図１９の番組視聴システムにおいて、モニタ装置を可動式のスタンドに設置した場合の構成を示すブロック図である。
【符号の説明】
【００７８】
１、５１……番組視聴システム、２Ａ〜２Ｃ、５２Ａ〜５２Ｃ……モニタ装置、３……制御装置、１１……ソース部、１４……音声信号処理部、２１、２２……リモートコマンダー、４２、５３……演算処理部
【図１】
2005215226.tif 000003
【図２】
2005215226.tif 000004
【図３】
2005215226.tif 000005
【図４】
2005215226.tif 000006
【図５】
2005215226.tif 000007
【図６】
2005215226.tif 000008
【図７】
2005215226.tif 000009
【図８】
2005215226.tif 000010
【図９】
2005215226.tif 000011
【図１０】
2005215226.tif 000012
【図１１】
2005215226.tif 000013
【図１２】
2005215226.tif 000014
【図１３】
2005215226.tif 000015
【図１４】
2005215226.tif 000016
【図１５】
2005215226.tif 000017
【図１６】
2005215226.tif 000018
【図１７】
2005215226.tif 000019
【図１８】
2005215226.tif 000020
【図１９】
2005215226.tif 000021
【図２０】
2005215226.tif 000022